(57)【要約】      （修正有）【課題】常にボールマーカーとフォーク部を分離せず一体に確実に携帯でき、構成が簡易で操作が容易なゴルフ用バックルを提供する。【解決手段】ベルト４０への装着部１９を設けたバックル本体１０を構成し、バックル本体１０内に把持部２１とフォーク２９を設けたフォーク部２０を着脱自在に収納する。把持部２１の底面にはマグネットを取り付ける。マグネットに吸着して把持部２１の上面にボールマーカー３０を着脱自在に取り付ける。フォーク部２０の把持部２１の上面に、側部に傾斜部を有する載置部２６を構成し、載置部２６の上面にボールマーカー３０を着脱自在に取り付ける。【選択図】図２
0003185846.tif 000002
【実用新案登録請求の範囲】
【請求項１】
ベルトの装着具を有するバックル本体を構成し、前記バックル本体内に把持部とフォークを設けたフォーク部を着脱自在に収納し、前記把持部の底面にマグネットを取り付け、前記マグネットの作用で把持部の上面にボールマーカーを着脱自在に取り付けたことを特徴とするゴルフ用バックル。
【請求項２】
前記バックル本体の先端にマグネットを構成し、前記フォーク部の把持部の上面に、傾斜部を有する載置部を構成し、前記載置部の上面にボールマーカーを着脱自在に取り付けたことを特徴とする請求項１記載のゴルフ用バックル。  
【考案の詳細な説明】
【技術分野】
【０００１】
本考案は、ゴルフプレーに際し使用するグリーン用のフォーク及びボールマーカーを一体にバックルに収納したゴルフ用バックルに関するものである。
【背景技術】
【０００２】
従来より、ゴルフプレー時に使用するグリーン芝を修復するためのフォークとボールマーカーは、別々の道具として使用されていたが、特許文献１に一体型のものが提案されている。  
このグリーンマーカー付ゴルフ用フォークは、間隔を存して上下２枚の柄板を縦ピン（１１）にて結合してなるケース（１２）と、該ケース内に前記縦ピンにて回転可能に出し入れするように支持したフォーク（１４）と、該フォークの上面に円形凹部（１５）を設けて収容したグリーンマーカー（１６）とにより構成されていることを特徴とするものである。
【先行技術文献】
【特許文献】
【０００３】
【特許文献１】特開平５−３１２１７号公報
【０００４】
前記特許文献１の発明によれば、不使用時には短くできるので、ポケットに入れてもプレー中邪魔に感じることがなく保管し易い。さらに使用時にはゴルフ用フォークを通常の長さにできると共にグリーンマーカーをケース外に露出できるので容易に取り出すことができる等の効果を奏する。
【考案の概要】
【考案が解決しようとする課題】
【０００５】
前記特許文献１記載の発明は、フォークとグリーンマーカーが一体に小型化されているため収納、保管に便利であるが、持ち運ぶときにはポケットに入れるため紛失しやすく、衣服を代えた場合にはポケットに置き忘れてしまうという問題点があった。
上記の課題を解決するため、本考案はベルトのバックルを利用したもので、常にボールマーカーとフォーク部を分離せず一体に確実に携帯できるゴルフ用バックルを提供することを目的とする。
【課題を解決するための手段】
【０００６】
請求項１に記載の考案は、ベルトの装着具を有するバックル本体を構成し、前記バックル本体内に把持部とフォークを設けたフォーク部を着脱自在に収納し、前記把持部の底面にマグネットを取り付け、前記マグネットの作用で把持部の上面にボールマーカーを着脱自在に取り付けたゴルフ用バックルである。
【０００７】
請求項２に記載の考案は、前記バックル本体の先端にマグネットを構成し、前記フォーク部の把持部の上面に、傾斜部を有する載置部を構成し、前記載置部の上面にボールマーカーを着脱自在に取り付けたゴルフ用バックルである。
【考案の効果】
【０００８】
請求項１記載のゴルフ用バックルによれば、バックルは常に身体に着用しているため、携帯することを忘れたり保管した場所を忘れることがなく、常にボールマーカーとフォーク部を分離せず一体に確実に携帯できる。そのためプレーに集中することができる。さらに使用後は再びバックル本体に収納することで置き忘れたりすることが防げる。
また、通常のベルトのバックルとして使用することもできる等の効果を奏する。
【０００９】
請求項２記載のゴルフ用バックルによれば、前記バックル本体の先端にマグネットを構成したから、フォーク部がより確実にバックル本体に収納されると共に、把持部の上面に側部に傾斜部を有する載置部を構成したから、ボールマーカーの取り出しが片手で容易に行える。
【図面の簡単な説明】
【００１０】
【図１】本考案の実施形態１の斜視図
【図２】本考案の実施形態１の分解斜視図
【図３】本考案の実施形態１のフォーク部とボールマーカーの構成を示す一部断面側面図
【図４】本考案の実施形態１の使用態様図
【考案を実施するための形態】
【００１１】
本考案の一実施形態を図１乃至図４に基づいて説明する。
本実施形態のゴルフ用バックルは、ベルト４０への装着部１９を有するバックル本体１０と、このバックル本体１０内部に着脱自在に収納可能なフォーク部２０と、このフォーク部２０にマグネットによって着脱自在に固定可能なボールマーカー３０とからなる。
以下、この構成を詳細に説明する。
【００１２】
バックル本体１０は、装着部１９によってベルト４０に装着されていて、図１のようにフォーク部２０をバックル本体部１０内に収納した状態では通常のバックルとして使用できる。
バックル本体１０の基板１３の両端に、所定の高さを有する側縁部１１，１１を構成し、この側縁部１１，１１の上端に上板１２を掛け渡してバックル本体１０の内部に空間を構成してフォーク収納部１５としている。前記基板１３の先端の上面にはマグネット１４が固定されている。
【００１３】
フォーク部２０は、楕円形の板状部材からなる把持部２１と、この把持部２１の一側に設けたフォーク２９によって構成されていて、このフォーク２９は把持部２１の底面２４と同一面上に構成されている。
前記把持部２１は、周縁に周縁部２２を構成し、内部に凹部２５を構成してある。
凹部２５の底面（把持部２１の上面）２３にはボールマーカー３０の載置部２６が構成され、この載置部２６は長方形の板材からなり、平坦な中央部２６ａの両側部を傾斜して傾斜部２６ｂ，２６ｂを構成してある。また、把持部２１の底面２４にはマグネット２８が固定してある。
【００１４】
ボールマーカー３０は楕円形状の金属板からなり、前記把持部２１の凹部２５内の載置部２６上に載置されて、前記マグネット２８によって吸着固定される。
【００１５】
上記のように構成した実施形態１の作用を説明する。
バックル本体１０を装着具１９でベルト４０に装着し身体に装着して使用する（図４参照）。
このときには、バックル本体１０にはフォーク部２０とボールマーカー３０が、マグネット１４、２８の吸着力によって確実に装着されているため、ゴルフのプレー中あるいは通常の使用中に外れる恐れはない。
さらに、ボールマーカー３０は、その周側面が把持部２１の周縁部２２に当接しているため水平方向の移動が規制されていて、外部の物に衝突しても凹部２５から外れる恐れがない。
【００１６】
前記のような収納状態からフォークを使用するときは、把持部２１を掴んでフォーク部２０をフォーク収納部１５から抜き出し、把持部２１を掴んでフォーク２９を使用する。このときボールマーカー３０はフォーク部２０の把持部２１に吸着した状態である。
【００１７】
図３に基づいて、ボールマーカー３０の使用について説明する。
ボールマーカー３０は把持部２１から外して使うが、把持部２１の凹部２５に収納された状態（図３（Ｂ））では、ボールマーカー３０の底面３１は凹部２５の底面２３より載置部２６の高さＨ分浮き上がっている。
【００１８】
前記図３（Ｂ）の状態から、ボールマーカー３０の後端部３０ｂを指で押さえると、ボールマーカー３０の後端部３０ｂが下がり、その反対側の前端部３０ａが浮き上がってくる（図３（ｃ）参照）。その後、浮き上がった前端部３０ａをつかんで取り出せばよい。
また、このときはボールマーカー３０の底面３１が載置部２６の中央部２６ａから離れているため、マグネット２８の吸着力の影響が少なくなり取り出しやすくなる。
使用後に収納するときは、前記と逆の作業をすればよい。
【００１９】
上述の通り、本実施形態によれば、常にボールマーカーとフォーク部を分離せず一体に確実に携帯でき、使用に際してもフォーク部及びボールマーカー共に片手で簡単に取り出して使うことができるのである。
【符号の説明】
【００２０】
１０  バックル本体      １１  側縁部
１２  上板              １３  基板
１４  マグネット
２０  フォーク部        ２１  把持部
２２  周縁部            ２３  把持部の上面（凹部の底面）
２４  把持部の底面      ２５  凹部
２６  載置部            ２８  マグネット
３０  ボールマーカー    ２９  フォーク
【図１】
0003185846.tif 000003
【図２】
0003185846.tif 000004
【図３】
0003185846.tif 000005
【図４】
0003185846.tif 000006